(57)【特許請求の範囲】
【請求項１】
面材の相対する２縁部に一組の枠材が取着され、これらの枠材は、側壁の上端外側にその側壁とほぼ垂直に板片状の取付部が長さ方向に沿って突設されると共に下端内側に保持溝が長さ方向に沿って形成され、この保持溝に面材の縁部が挿入され、この保持溝の側壁に、開口縁が内方に突出された蟻溝が長さ方向に沿って形成され、この蟻溝に止め具が嵌入されると共に止め具のねじ孔から螺入されたビスの先端が蟻溝の底壁を貫通して面材に押圧され、その反作用で止め具が開口縁の内面に圧着されることにより、面材と枠材が連結されて製せられたことを特徴とするパネル。
【請求項２】
請求項１記載のパネルにおいて、このパネルの一方の枠材には保持溝の上方に外方に向けて、開口部を有する嵌合凹部が形成され、他方の枠材には前記嵌合凹部に嵌入される嵌合凸部が形成され、隣り合うパネルの嵌合凹部と嵌合凸部が嵌合されてパネルが連設されたことを特徴とするパネル取付構造。
【請求項３】
請求項２記載のパネル取付構造において、パネルが天井裏に配設された長尺の構造体に当接され前記嵌合凹部の上面がこの構造体に取着され、次のパネルの嵌合凸部がこの嵌合凹部に嵌入されると共に、他端の嵌合凹部が次に構造体に取着され、順次パネルが構造体に取着されるようになされたことを特徴とする天井パネル取付構造。
【請求項４】
外壁に配設された胴縁に、パネルが取り付けられてなる外壁のパネル取付構造において、面材の相対する２縁部に一組の枠材が取着され、この枠材は、側壁の上端外側にその側壁とほぼ垂直に板片状の取付部が長さ方向に沿って突設されると共に下端内側に保持溝が長さ方向に沿って形成され、この保持溝に面材の縁部がシーリング材と共に挿入され、この保持溝の上部に、開口縁が内方に突出された蟻溝が長さ方向に沿って形成され、一方の枠材には保持溝の上方に外方に向けて、開口部を有する嵌合凹部が形成され、他方の枠材には前記嵌合凹部に嵌入される嵌合凸部が形成され、前記蟻溝に止め具が嵌入されると共に止め具のねじ孔から螺入されたビスの先端が蟻溝の底壁を貫通して面材に押圧され、その反作用で止め具が開口縁の内面に圧着されることにより、面材と枠材が連結されて製せられたパネルが前記外壁に配設された胴縁に当接され前記嵌合凹部の上面がこの胴縁に取着され、次のパネルの嵌合凸部がこの嵌合凹部に嵌入されると共に、他端の嵌合凹部が次に胴縁に取着され、順次パネルが胴縁に取着されるようになされたことを特徴とする外壁パネル取付構造。
【発明の詳細な説明】
【０００１】
【発明の属する技術分野】
本発明は、建築物の内壁、外壁等、好適には天井に取付けられるパネル及びパネル取付構造に関するものである。
【０００２】
【従来の技術】
従来、例えば天井に取付けられるパネルとしては、平板状のパネルが一般的に用いられているが、デザイン的に目地を強調するパネルとしては、巾方向に相互に接合されて並設施工される帯状の金属製パネルが知られている。この帯状の金属製パネルは、その一方の側端に嵌合凸部が形成され、他方の側端に嵌合凹部が形成され、全体として情報に開口した断面略コ字型の金属製型材として形成されている。又、この帯状の金属製パネルは嵌合凹部の突出片部分が螺子などにより下地に固定され、この嵌合凹部に隣り合う帯状の金属製パネルの嵌合凸部が挿入嵌合され、巾方向に相互に接続されて下地上に並設施工されるものが知られていた。
【０００３】
【発明が解決しようとする課題】
しかしながら、上記従来の技術に於いては、帯状の金属製パネルはアルミニウム合金の押出型材や、鋼板やステンレス鋼板などの金属板を折曲して作製されるのでパネルの材質が限定され、軽量化を図るために合成樹脂と金属の複合板を用いたり、プラスターボードなどの非金属材料を用いることができなかった。
【０００４】
そこで本発明は、任意の材料を面材として用いることができ、用途や使用場所によって多彩な機能を持つパネルとこのパネルの取付構造を提供するものである。
【０００５】
【課題を解決するための手段】
本発明請求項１記載のパネルは、面材の相対する２縁部に一組の枠材が取着され、これらの枠材は、側壁の上端外側にその側壁とほぼ垂直に板片状の取付部が長さ方向に沿って突設されると共に下端内側に保持溝が長さ方向に沿って形成され、この保持溝に面材の縁部が挿入され、この保持溝の側壁に、開口縁が内方に突出された蟻溝が長さ方向に沿って形成され、この蟻溝に止め具が嵌入されると共に止め具のねじ孔から螺入されたビスの先端が蟻溝の底壁を貫通して面材に押圧され、その反作用で止め具が開口縁の内面に圧着されることにより、面材と枠材が連結されて製せられたもので、面材と枠材が別の材質で製作でき、面材の縁部がビスで押圧されるだけで枠材が取着されるので、加工が容易で、施工現場で、パネルの巾を替える必要ができたときも枠材の止め具のビスをゆるめるだけで、枠材が面材から容易にはずせ、面材の切断後枠材を再度装着するのが容易である。又、任意の面材が容易に用いられる。
【０００６】
本発明請求項２記載のパネル取付構造は、面材の相対する２縁部に一組の枠材が取着され、これらの枠材は、側壁の上端外側にその側壁とほぼ垂直に板片状の取付部が長さ方向に沿って突設されると共に下端内側に保持溝が長さ方向に沿って形成され、この保持溝に面材の縁部が挿入され、この保持溝の側壁に、開口縁が内方に突出された蟻溝が長さ方向に沿って形成され、この蟻溝に止め具が嵌入されると共に止め具のねじ孔から螺入されたビスの先端が蟻溝の底壁を貫通して面材に押圧され、その反作用で止め具が開口縁の内面に圧着されることにより、面材と枠材が連結されて製せられ、このパネルの一方の枠材には保持溝の上方に外方に向けて、開口部を有する嵌合凹部が形成され、他方の枠材には前記嵌合凹部に嵌入される嵌合凸部が形成され、隣り合うパネルの嵌合凹部と嵌合凸部が嵌合されてパネルが連設されたもので、巾方向のパネルの連結が容易である。
【０００７】
本発明請求項３記載の天井パネル取付構造は、面材の相対する２縁部に一組の枠材が取着され、これらの枠材は、側壁の上端外側にその側壁とほぼ垂直に板片状の取付部が長さ方向に沿って突設されると共に下端内側に保持溝が長さ方向に沿って形成され、この保持溝に面材の縁部が挿入され、この保持溝の側壁に、開口縁が内方に突出された蟻溝が長さ方向に沿って形成され、この蟻溝に止め具が嵌入されると共に止め具のねじ孔から螺入されたビスの先端が蟻溝の底壁を貫通して面材に押圧され、その反作用で止め具が開口縁の内面に圧着されることにより、面材と枠材が連結されて製せられ、このパネルの一方の枠材には保持溝の上方に外方に向けて、開口部を有する嵌合凹部が形成され、他方の枠材には前記嵌合凹部に嵌入される嵌合凸部が形成され、このパネルが天井裏に配設された長尺の構造体に当接され前記嵌合凹部の上面がこの構造体に取着され、次のパネルの嵌合凸部がこの嵌合凹部に嵌入されると共に、他端の嵌合凹部が次に構造体に取着され、順次パネルが構造体に取着されるようになされたもので、パネルが連結されうると共に天井裏の構造体に取着されるので、施工が容易である。
【０００８】
本発明請求項４記載の外壁パネル取付構造は、外壁に配設された胴縁に、パネルが取り付けられてなる外壁のパネル取付構造において、面材の相対する２縁部に一組の枠材が取着され、この枠材は、側壁の上端外側にその側壁とほぼ垂直に板片状の取付部が長さ方向に沿って突設されると共に下端内側に保持溝が長さ方向に沿って形成され、この保持溝に面材の縁部がシーリング材と共に挿入され、この保持溝の上部に、開口縁が内方に突出された蟻溝が長さ方向に沿って形成され、一方の枠材には保持溝の上方に外方に向けて、開口部を有する嵌合凹部が形成され、他方の枠材には前記嵌合凹部に嵌入される嵌合凸部が形成され、前記蟻溝に止め具が嵌入されると共に止め具のねじ孔から螺入されたビスの先端が蟻溝の底壁を貫通して面材に押圧され、その反作用で止め具が開口縁の内面に圧着されることにより、面材と枠材が連結されて製せられたパネルが前記外壁に配設された胴縁に当接され前記嵌合凹部の上面がこの胴縁に取着され、次のパネルの嵌合凸部がこの嵌合凹部に嵌入されると共に、他端の嵌合凹部が次に胴縁に取着され、順次パネルが胴縁に取着されるようになされたもので、面材の端部がシーリング材で保護されているので、端面が脆弱な面材を外壁に用いることができる。
【０００９】
【発明の実施の形態】
以下に本発明の実施の一形態を図面に基づき具体的に説明する。
まず図１は本発明において天井用として用いられるパネルの実施の一形態を示す仰視図である。図２は図１のＡ−Ａ断面図、図３は図１のＢ−Ｂ断面図であり、図４は図２の要部の拡大図である。
【００１０】
図面において、１は面材、２、２’は枠材である。
【００１１】
面材１は、合成樹脂板の表裏に金属板や金属箔が貼着された複合板、アルミニウム合金板や鉄等の金属板、アクリル板等の合成樹脂板、又はルーバー板や網目状板等、任意の板材からなり、一般には長尺の方形状となされている。
【００１２】
なお、複合板を用いる場合は、合成樹脂板の表裏両面にアルミニウム合金などの金属板が接着されたものが美麗で好適である。前記表面の金属板は単色カラー仕上げのほか、石目などのパターンに仕上げられて装飾されていてもよく、又裏面の金属板はメッキなど適宜表面処理が施されているのが好ましい。又合成樹脂板としては、ポリ塩化ビニル、ＡＢＳ樹脂、ポリエチレン、ポリプロピレンなどの熱可塑性樹脂の板が表面平滑であり好適に用いられるが、メラミン樹脂などの熱硬化性樹脂が用いられてもよいし、石膏ボードなどの無機質板や木板等適宜材質の板が用いられる。又、面材１は前記したように表面に金属板が貼着された複合板が表面が美麗で好適であるが、これに限るものではなく石膏ボードなどの無機質板や木板等適宜材質の板が用いられてもよい。
【００１３】
枠材２、２’は、一般には合成樹脂やアルミニウム合金等の金属からなる型材から作製された長尺体で、面材の相対する２側縁に取着されている。
【００１４】
枠材２、２’は、側壁２１の下端内側に上下に間隔をおいて突設された幅の広い上壁２３と下面がほぼ三角状に面取りされた幅の狭い下壁２４とにより、保持溝２５が長さ方向に沿って形成され、この保持溝２５に面材１の外周が挿入保持されるようになされている。下壁２４の幅を狭くすると共に下面を面取りしているのは、外観に現れる下壁２４の幅を狭くすることによりパネルの輪郭をシャープに見せるためである。前記下壁２４の形状は特に限定されるものではなく、幅広で形成し、パネルの輪郭を強調させてもよいし、断面半円状や五角形状など適宜形状となされればよい。
【００１５】
又、枠材２、２’の前記上壁２３の上部には、開口縁２６が内方に突出された蟻溝２７が長さ方向に沿って形成されている。そして枠材２、２’を面材の縁部に取着するときには、止め具がこの蟻溝内に挿入され、止め具に設けられた雌ねじにビスが螺入され、このビスの先端が蟻溝の底壁を貫通して面材に押圧され、その反作用で止め具が蟻溝の開口縁の内面に圧着されることにより、面材に枠材が連結される。
【００１６】
また一方の枠材２は、図３、図４に示される如く、側壁２１の上端外側にその側壁２１とほぼ垂直に板状の一組の壁体が対向して突設され、嵌合凹部となされている。この嵌合凹部の上側の壁体が天井の野縁等の下地材３に取付けられるようになされている。この枠材２を天井の下地材３に取付けるには、図５に示される如く上側の壁体より天井の下地材３にセルフドリリングビスをねじ込んでもよいし、上側の壁体を貫通して天井の下地材に貫通孔を穿設しセルフタッピングビスで螺着してもよい、又ブラインドリベット等で鋲着してもよい。
【００１７】
他方の枠材２’は、側壁の上端外側にその側壁と略垂直にＬ型の壁体が設けられて嵌合凸部となされている。この嵌合凸部が前記嵌合凹部に挿入され、隣り合うパネルが嵌合されている。又、前記嵌合凹部の下側の壁体は、目地として視認されるために、パネルの輪郭を強調させるにはこの壁体の幅を広くし、又側壁２１の高さを高くすればよく、天井の広さやその部屋、廊下等の用途に合わせて壁体の幅及び側壁２１の高さを適宜決定すればよい。
【００１８】
次に、本発明パネルの外壁用として用いられる実施形態の一例を図５〜図８をもとに説明する。
図５は本発明パネルの取付構造の実施形態の一例を示す正面図であり、図６は図５のＣ−Ｃ断面図、図７は図５のＤ−Ｄ断面図であり、図８は図５の要部の拡大図である。
枠材２は、側壁２１の下端内側に上下に間隔をおいて突設された幅の広い上壁２３と下面がほぼ三角状に面取りされた幅の狭い下壁２４とにより、保持溝２５が長さ方向に沿って形成され、この保持溝２５に面材１の縁部がシーリング材と共に挿入保持されるようになされている。面材と枠材の間にシーリング材が挿入されているので、面材として複合板が用いられても面材の端部に水が入ることがなく好適に用いられる。又パネルの端部間の接合部には断面Ｚ型の水切り型材が上下のパネルに挟持され、上部のパネル表面に付着した水滴が下部のパネルの端部に滴下しないようになされている。
【００１９】
建物の外壁下地に設けられた胴縁に、枠材の嵌合凹部がビスで取着され、この嵌合凹部に隣り合うパネルの嵌合凸部が挿入され、順次パネルが連結される。
【００２０】
【発明の効果】
【００２１】
本発明請求項１記載のパネルは、面材の相対する２縁部に一組の枠材が取着され、これらの枠材は、側壁の上端外側にその側壁とほぼ垂直に板片状の取付部が長さ方向に沿って突設されると共に下端内側に保持溝が長さ方向に沿って形成され、この保持溝に面材の縁部が挿入され、この保持溝の側壁に、開口縁が内方に突出された蟻溝が長さ方向に沿って形成され、この蟻溝に止め具が嵌入されると共に止め具のねじ孔から螺入されたビスの先端が蟻溝の底壁を貫通して面材に押圧され、その反作用で止め具が開口縁の内面に圧着されることにより、面材と枠材が連結されて製せられたもので、面材と枠材が別の材質で製作でき、面材の縁部がビスで押圧されるだけで枠材が取着されるので、加工が容易で、施工現場で、パネルの巾を替える必要ができたときも枠材の止め具のビスをゆるめるだけで、枠材が面材から容易にはずせ、面材の切断後枠材を再度装着するのが容易である。又、任意の面材が容易に用いられる。
【００２２】
本発明請求項２記載のパネル取付構造は、面材の相対する２縁部に一組の枠材が取着され、これらの枠材は、側壁の上端外側にその側壁とほぼ垂直に板片状の取付部が長さ方向に沿って突設されると共に下端内側に保持溝が長さ方向に沿って形成され、この保持溝に面材の縁部が挿入され、この保持溝の側壁に、開口縁が内方に突出された蟻溝が長さ方向に沿って形成され、この蟻溝に止め具が嵌入されると共に止め具のねじ孔から螺入されたビスの先端が蟻溝の底壁を貫通して面材に押圧され、その反作用で止め具が開口縁の内面に圧着されることにより、面材と枠材が連結されて製せられ、このパネルの一方の枠材には保持溝の上方に外方に向けて、開口部を有する嵌合凹部が形成され、他方の枠材には前記嵌合凹部に嵌入される嵌合凸部が形成され、隣り合うパネルの嵌合凹部と嵌合凸部が嵌合されてパネルが連設されたもので、巾方向のパネルの連結が容易である。
【００２３】
本発明請求項３記載の天井パネル取付構造は、面材の相対する２縁部に一組の枠材が取着され、これらの枠材は、側壁の上端外側にその側壁とほぼ垂直に板片状の取付部が長さ方向に沿って突設されると共に下端内側に保持溝が長さ方向に沿って形成され、この保持溝に面材の縁部が挿入され、この保持溝の側壁に、開口縁が内方に突出された蟻溝が長さ方向に沿って形成され、この蟻溝に止め具が嵌入されると共に止め具のねじ孔から螺入されたビスの先端が蟻溝の底壁を貫通して面材に押圧され、その反作用で止め具が開口縁の内面に圧着されることにより、面材と枠材が連結されて製せられ、このパネルの一方の枠材には保持溝の上方に外方に向けて、開口部を有する嵌合凹部が形成され、他方の枠材には前記嵌合凹部に嵌入される嵌合凸部が形成され、このパネルが天井裏に配設された長尺の構造体に当接され前記嵌合凹部の上面がこの構造体に取着され、次のパネルの嵌合凸部がこの嵌合凹部に嵌入されると共に、他端の嵌合凹部が次に構造体に取着され、順次パネルが構造体に取着されるようになされたもので、パネルが連結されうると共に天井裏の構造体に取着されるので、施工が容易である
【００２４】
本発明請求項４記載の外壁パネル取付構造は、外壁に配設された胴縁に、パネルが取り付けられてなる外壁のパネル取付構造において、面材の相対する２縁部に一組の枠材が取着され、この枠材は、側壁の上端外側にその側壁とほぼ垂直に板片状の取付部が長さ方向に沿って突設されると共に下端内側に保持溝が長さ方向に沿って形成され、この保持溝に面材の縁部がシーリング材と共に挿入され、この保持溝の上部に、開口縁が内方に突出された蟻溝が長さ方向に沿って形成され、一方の枠材には保持溝の上方に外方に向けて、開口部を有する嵌合凹部が形成され、他方の枠材には前記嵌合凹部に嵌入される嵌合凸部が形成され、前記蟻溝に止め具が嵌入されると共に止め具のねじ孔から螺入されたビスの先端が蟻溝の底壁を貫通して面材に押圧され、その反作用で止め具が開口縁の内面に圧着されることにより、面材と枠材が連結されて製せられたパネルが前記外壁に配設された胴縁に当接され前記嵌合凹部の上面がこの胴縁に取着され、次のパネルの嵌合凸部がこの嵌合凹部に嵌入されると共に、他端の嵌合凹部が次に胴縁に取着され、順次パネルが胴縁に取着されるようになされたもので、面材の端部がシーリング材で保護されているので、端面が脆弱な面材を外壁に用いることができる。
【図面の簡単な説明】
【図１】本発明において天井用として用いられるパネル取付構造の実施の一形態を示す仰視図である。
【図２】図１のＡ−Ａ断面図である。
【図３】図２のＢ−Ｂ断面図図である。
【図４】図３の要部の拡大図である。
【図５】本発明において外壁用として用いられるパネル取付構造の実施の一形態を示す正面図である。
【図６】図５のＣ−Ｃ断面図である。
【図７】図６のＤ−Ｄ断面図である。
【図８】図６の要部の拡大図である。
【符号の説明】
１        面材
２  ２’  枠材
２１      側壁
２３      上壁
２４      下壁
２５      保持溝
２６      開口縁
２７      蟻溝
２８      嵌合凹部
２８１    上側の壁体
２９            嵌合凸部
３        下地材
４        止め具
５        ビス
６        シーリング材
７        水切り型材
【図１】
0003549733.tif 000002
【図２】
0003549733.tif 000003
【図３】
0003549733.tif 000004
【図４】
0003549733.tif 000005
【図５】
0003549733.tif 000006
【図６】
0003549733.tif 000007
【図７】
0003549733.tif 000008
【図８】
0003549733.tif 000009